(57)【特許請求の範囲】
【請求項１】
左右に間隔をあけて立設された複数の支柱と、前記支柱に取付けられた断面円筒状の梁と、前記梁に取付けられた屋根材とを備え、前記梁は、連結部材を介して前記支柱に連結された簡易屋根構造物であって、
前記連結部材は、前記支柱の上端部に固定される支柱連結部と、前記梁を固定する梁連結部とを備え、
前記梁連結部は、前記梁を上方から挿入できるように左右に間隔をあけて配置した側壁部と、前記梁の外周面に沿って下向きに凹んで左右に分割された凹部とを備え、
前記梁は、前記側壁部の間に固定されており、
前記凹部は、側方に向けて形成されて側壁部と接続する下壁部を有しており、
前記下壁部と前記梁との間には隙間が設けられている
ことを特徴とする簡易屋根構造物。
【請求項２】
前記凹部は、左右両方に前記下壁部を有しており、一方の下壁部から前記凹部を経て他方の下壁部にかけて断面逆ハット状となされている
ことを特徴とする請求項１に記載の簡易屋根構造物。
【請求項３】
前記凹部は、左右に分割された箇所が離間されている
ことを特徴とする請求項１又は２に記載の簡易屋根構造物。
【発明の詳細な説明】
【技術分野】
【０００１】
本発明は、自転車置場、カーポート、バス停留所、シェルターなどに用いられる組立式の簡易屋根構造物に関するものである。
【背景技術】
【０００２】
従来、自転車置場、カーポート、バス停留所、シェルターなどの簡易屋根構造物については、例えば特許文献１には、
断面方形状中空支柱と、支柱の上端から横方向に向かってのびる断面方形状屋根支持材と、屋根支持材により支持される屋根とを備え、支柱と各屋根支持材とがそれぞれ連結部材によって連結される組立建物において、連結部材が、屋根支持材の下面と平行な上壁と、上壁の対向縁からそれぞれ下方に向かってのびて支柱の対向側壁内面にそれぞれ当接する一対の垂直壁とを備え、連結部材を支柱上端と連結部材上壁とが面一になるように支柱上端部内に挿入するとともにねじによって各支柱に各連結部材を固定し、かつ各屋根支持材を各連結部材の上壁に載置するとともにねじによって固定した組立建物が開示されている。
【先行技術文献】
【特許文献】
【０００３】
【特許文献１】特開２００２−６１２９１号公報
【発明の開示】
【発明が解決しようとする課題】
【０００４】
ところで、このような組立建物を組み立てる時は、まず支柱を設置面に立設することが多い。これは、屋根支持材、屋根を取付けるので、その荷重を支えられる様に十分な養生期間が必要なことが多いためである。かかる従来の組立建物において、この組立手順に沿って進める場合、連結部材のみを支柱上端部内に面一で挿入することは作業性が悪く、一方で連結部材に屋根支持材を取付けて作業する場合は、屋根支持材を持ち上げた状態で連結部材を支柱上端部内に挿入する必要があるため、作業が大掛かりとなって少人数では作業が難しいものであった。
【０００５】
本発明は、前記の如き問題点を解消し、少人数であっても、支柱に梁を取付ける作業が容易であって、施工性に優れた簡易屋根構造物を提供するものである。
【課題を解決するための手段】
【０００６】
上記目的を達成するために、本発明は次のような構成としている。
すなわち本発明に係る簡易屋根構造物は、
左右に間隔をあけて立設された複数の支柱と、前記支柱に取付けられた断面円筒状の梁と、前記梁に取付けられた屋根材とを備え、前記梁は、連結部材を介して前記支柱に連結された簡易屋根構造物であって、前記連結部材は、前記支柱の上端部に固定される支柱連結部と、前記梁を固定する梁連結部とを備え、前記梁連結部は、前記梁を上方から挿入できるように左右に間隔をあけて配置した側壁部と、前記梁の外周面に沿って下向きに凹んで左右に分割された凹部とを備え、前記梁は、前記側壁部の間に固定されており、前記凹部は、側方に向けて形成されて側壁部と接続する下壁部を有しており、前記下壁部と前記梁との間には隙間が設けられていることを特徴とするものである。
【０００７】
また、本発明において、前記凹部は、左右両方に前記下壁部を有しており、一方の下壁部から前記凹部を経て他方の下壁部にかけて断面逆ハット状となされているようにしてもよい。
【０００８】
また、本発明において、前記凹部は、左右に分割された箇所が離間されているようにしてもよい。
【発明の効果】
【０００９】
本発明によれば、前記梁連結部は、前記梁を上方から挿入できるように左右に間隔をあけて配置した側壁部と、前記梁の外周面に沿って下向きに凹んだ凹部とを備えているので、梁連結部に梁を固定しやすく、支柱に梁を取付ける施工作業が容易となる。
【図面の簡単な説明】
【００１０】
【図１】本発明に係る簡易屋根構造物の実施の一形態を示す正面図である。
【図２】図１の簡易屋根構造物の側面図である。
【図３】図１の簡易屋根構造物の屋根材の一部を切り欠いた平面図である。
【図４】図２の連結部材付近の説明図である。
【図５】図４の連結部材の説明図である。
【図６】図５のＡ−Ａ断面における概略拡大断面図である。
【図７】図５のＢ−Ｂ断面における概略拡大断面図である。
【図８】図５の連結部材付近の分解説明図である。
【図９】図５のＣ−Ｃ断面における概略拡大断面図である。
【図１０】図５のＤ−Ｄ断面における概略拡大断面図である。
【図１１】図２の前側支柱の上端付近の説明図である。
【図１２】図１１の分解説明図である。
【図１３】図１１のＥ−Ｅ断面における概略拡大断面図である。
【図１４】図１１のＦ−Ｆ断面における概略拡大断面図である。
【図１５】梁の連結構造を示す分解説明図である。
【図１６】梁の連結構造を示す分解説明図である。
【発明を実施するための形態】
【００１１】
次に、本発明を実施するための最良の形態について図面を参照し、具体的に説明する。
【００１２】
図１〜３は、本発明に係る簡易屋根構造物の実施の一形態を示す説明図であって、図１は正面図、図２は側面図、図３は屋根材の一部を切り欠いた平面図である。図１〜３に示された簡易屋根構造物Ｐは、支柱１と、支柱１に取付けられた梁２と、梁２に取付けられた屋根材３とを備え、梁２は連結部材４を介して支柱１に連結されたものである。
【００１３】
支柱１は円筒状の鋼管を適宜長さに切断して作製され、下端部が設置面に埋設されており、本形態では、左右方向に間隔をあけて三個立設されている。支柱１は、強度的に安定しておりコストの安い鋼管が好適に用いられるが、鋼管に限るものではなく、アルミニウム合金型材、ステンレス鋼管でもよい。
【００１４】
梁２は、支柱１と同様に円筒状の鋼管を適宜長さに切断して作製され、支柱１の上方に取付けられており、本形態では、前記三個の支柱１の上方にそれぞれ前後方向に沿って取付けられている。梁２は、支柱１と同様に強度的に安定しておりコストの安い鋼管が好適に用いられるが、鋼管に限るものではなく、アルミニウム合金型材、ステンレス鋼管でもよい。
【００１５】
支柱１の前方には、梁２の前部が取付けられた前側支柱１１が立設されている。すなわち本形態では、前後に間隔をあけて立設された前側支柱１１と支柱１の間に梁２が架設されている。前側支柱１１は、支柱１と同様に円筒状の鋼管を適宜長さに切断して作製され、鋼管が好適に用いられる。
【００１６】
次に、支柱１に対する梁２の取付構造について、更に詳しく説明する。図４は図２の連結部材付近の説明図である。支柱１と梁２は、連結部材４を介して取付けられている。連結部材４は、支柱１の上端部に固定される支柱連結部４１と梁２が取付けられる梁連結部４２とを備えている。
【００１７】
まず支柱１と連結部材４との関係について詳しく説明する。図５は図４の連結部材の説明図、図６は図４のＡ−Ａ部の概略拡大断面図、図７は図４のＢ−Ｂ部の概略拡大断面図、図８は図４の連結部材付近の分解説明図である。連結部材４の支柱連結部４１は、支柱１を固定するために、支柱１を挿入できるように左右に間隔をあけて配置した固定部４３と支柱１の外周面の形状に合わせて形成された支持部４４とを有している。支柱１は、固定部４３の間に配置され、支柱１に設けられた左右に貫通する貫通孔１ａと各固定部４３に設けられた貫通孔４３ａとを挿通するボルト７とナット８によって固定部４３に固定されている。
【００１８】
続いて、梁２と連結部材４との関係について詳しく説明する。図９は図４のＣ−Ｃ部の要部拡大断面図、図１０は図４のＤ−Ｄ部の要部拡大断面図である。図４に示すように、連結部材４の梁連結部４２は、梁２を上方から挿入できるように左右に間隔をあけて配置した側壁部４５と、側壁部４５の間に設けられて梁２の外周面に沿って下向きに凹んだ凹部４６とを備えている。梁２は、側壁部４５の間に配置され、凹部４６の上に載置されており、梁２を左右に貫通する貫通孔２ａと各側壁部４５に設けられた貫通孔４５ａとを挿通するボルト７とナット８によって側壁部４５に固定されている。
【００１９】
本形態では、図８に示すように、連結部材４は、左右勝手違いの二個の連結片４７を備えたものである。すなわち、支柱連結部４１の支持部４４と梁連結部４２の凹部４６は左右に分割されており、一個の連結片４７は、支柱連結部４１の固定部４３と分割された支持部４４、梁連結部４２の側壁部４５と分割された凹部４６とを備えたものである。そして、左右勝手違いの二個の連結片４７を支柱１に固定することによって、梁連結部４２の側壁部４５が左右に間隔をあけて配置され、下向きに凹んだ凹部４６が形成される。また、本形態では、支柱１と梁２の外径が同じであるため、１個の連結片４７を反転させて、組み合わせることにより、連結部材４を形成することができるので、左右別々の形状の連結片４７を準備する必要がなくなる。
【００２０】
図１１は図２の前側支柱の上端付近の説明図、図１２は図１１の分解説明図、図１３は図１１のＥ−Ｅ断面における概略拡大断面図、図１４はＦ−Ｆ断面における概略拡大断面図である。梁２の前側は、前側連結部材５を介して前側支柱１１に連結されている。前側連結部材５は、支柱連結部５１と梁連結部５２を備えており、本形態では、左右勝手違いの二個の前側連結片５３を備えたものである。支柱１は、支柱連結部５１の間に配置され、前側支柱１１、支柱連結部５１に設けられた左右に貫通する貫通孔１１ａ、５１ａを挿通するボルト７とナット８によって支柱連結部５１に連結されている。
【００２１】
梁連結部５２は、各支柱連結部５１の上端部から上方に向けて設けられている。梁２は、梁連結部５２の間に梁２を挿入され、梁２、梁連結部５２に設けられた左右に貫通する貫通孔２ａ、５２ａを挿通するボルト７とナット８によって梁連結部５２に連結されている。
【００２２】
次に、支柱１と前側支柱１１との間に梁２を連結する際の連結構造について説明する。図１５、図１６は梁の連結構造を示す分解説明図である。まず、支柱１に連結部材４を連結する。具体的には固定部４３の間に支柱１を配置し、支持部４４を支柱１の外周面に沿わせ、支柱１の貫通孔１ａの位置と各固定部４３の貫通孔４３ａとの位置を合わせてボルト７を挿通しナット８を螺合して締結する。これにより、支柱１に固定部４３が固定され、連結部材４の支柱連結部４１が支柱１に連結される。
【００２３】
続いて、前側支柱１１に前側連結部材５を連結する。具体的には、二個の前側連結片５３の支柱連結部５１の間に前側支柱１１を配置し、ボルト７を挿通しナット８を螺合して、支柱連結部５１と前側支柱１１を締結する。
【００２４】
続いて、支柱１と前側支柱１１の間に梁２を固定する。具体的には、梁２をＹ１方向に移動し、梁連結部５２の間に梁２の前側を挿入し、連結部材４の梁連結部４２の側壁部４５の間に梁２の後側を挿入して凹部４６の上に載置する。これにより、梁２を所定の高さまで持ち上げることができれば、作業者が一人であっても、上記作業手順に従って支柱１と前側支柱１１との間に梁２を仮置きすることができる。また、出荷時に予め組み立てておく必要がないため、輸送効率がよく、また現場での組立作業も容易となり好ましい。この後、梁２の位置を微調整してボルト７、ナット８を用いて締結することにより、支柱１と前側支柱１１の間に梁２を固定することができる。したがって、連結部材４を介して、支柱１と梁２を連列することができる。支柱１、梁２、連結部材４、前側支柱１１を固定あるいは連結する手順は特に限定されるものではない。
【００２５】
また本形態のように凹部４６を分割して、ボルト７、ナット８で締結する時に、図１０に示すように、凹部４６の分割箇所が離間するようにしておけば、分割された凹部４６同士が干渉せずに、強固に締結することができるので好ましい。しかし、分割した凹部４６は梁２の自重により沈み込んで分割箇所が広がるように凹部４６が下方に向けて変形し、ボルト７への負荷が増大するおそれがある。そこで本形態では、梁連結部４２において、凹部４６から側方に向けて形成されて側壁部４５と接続する下壁部４８を有しており、一方の下壁部４８から凹部４６を経て他方の下壁部４８にかけて断面逆ハット状となされている。そして凹部４６に梁２を載置した際、下壁部４８と梁２の間に隙間が設けられるようになされている。これにより、下壁部４８と凹部４６の境界付近が起点として変形しやすくなり、梁２の沈み込みを下壁部４８で抑制し、ボルト７への負荷の増大も防ぐことができる。
【００２６】
次に、梁２に対する屋根材３の取付構造について詳しく説明する。図１〜図３に示すように、本形態では、支柱１と前側支柱１１との間に取付けられた梁２が、左右方向に間隔をあけて設けられている。梁２には、前後に間隔をあけて母屋６が取付けられている。
【００２７】
母屋６は、角筒状の鋼管を適宜長さに切断して作製され、梁２の上に前後に間隔をあけて三本取付けられている。母屋６は、支柱１と同様に強度的に安定しておりコストの安い鋼管が好適に用いられるが、鋼管に限るものではなく、アルミニウム合金型材、ステンレス鋼管でもよい。
【００２８】
屋根材３は、前後方向に長い平面視略長方形状であって、母屋６上に固定されている。屋根材３は後方へ下がる水切り勾配が設けられて固定されている。
【００２９】
以上、本発明の簡易屋根構造物について、実施形態に基づいて説明したが、本発明は、これらの実施形態に限定されるものではない。本発明の要旨を逸脱しない範囲内で当業者が思いつく各種変形を施したものも本発明の範囲内に含まれる。
【産業上の利用可能性】
【００３０】
本発明は、自転車置場、カーポート、バス停留所、シェルターなどに用いられる簡易屋根構造物として広く利用することができる。
【符号の説明】
【００３１】
１    支柱
１１  前側支柱
１１ａ  貫通孔
２    梁
３    屋根材
４    連結部材
４１  支柱連結部
４２  梁連結部
４３  固定部
４４  支持部
４５  側壁部
４５ａ  貫通孔
４６  凹部
４７  連結片
４８  下壁部
５    前側連結部材
５１  支柱連結部
５１ａ  貫通孔
５２  梁連結部
５３  前側連結片
６    母屋
７    ボルト
８    ナット
Ｐ    簡易屋根構造物
Ｓ    隙間
【図１】
0006599811.tif 000002
【図２】
0006599811.tif 000003
【図３】
0006599811.tif 000004
【図４】
0006599811.tif 000005
【図５】
0006599811.tif 000006
【図６】
0006599811.tif 000007
【図７】
0006599811.tif 000008
【図８】
0006599811.tif 000009
【図９】
0006599811.tif 000010
【図１０】
0006599811.tif 000011
【図１１】
0006599811.tif 000012
【図１２】
0006599811.tif 000013
【図１３】
0006599811.tif 000014
【図１４】
0006599811.tif 000015
【図１５】
0006599811.tif 000016
【図１６】
0006599811.tif 000017